(57)【特許請求の範囲】
【請求項１】
静脈（「ＩＶ」）流体を送達するための注入ポンプであって、
筐体であって、前記筐体は、
ＩＶ管の第１の部分に垂直配向に係合するように構成される作動面積であって、前記作動面積は、流体容器から前記ＩＶ管を受容するための第１の端部と、患者に前記ＩＶ管を提供するための第２の端部とを含む、作動面積と、
前記作動面積の少なくとも一部の周囲に沿って位置するシール区分であって、前記シール区分は、
前記シール区分に沿って位置付けられるガスケットリブと、
前記筐体の上部に位置し、水平配向を有する管チャネルであって、前記管チャネルは、前記ＩＶ管の第２の部分を受けるように構成される、管チャネルと
を含む、シール区分と
を含む、筐体と、
前記筐体に接続されたドアであって、前記ドアは、前記ガスケットリブに係合し、前記筐体の前記作動面積を封入するように構成され、前記ドアは、
陥凹区分であって、前記陥凹区分は、前記ドアが閉鎖されると、前記管チャネルと整合するように構成され、前記陥凹区分は、前記陥凹区分および管チャネルが前記ＩＶ管の前記第２の部分をともに封入するように、前記ＩＶ管の前記第２の部分を受けるように構成される、陥凹区分と、
前記ドアに進入する前記ＩＶ管の前記第２の部分に係合するように構成されるチャネル逃げ辺縁と
のうちの少なくとも１つを含む、ドアと
を備える、注入ポンプ。
【請求項２】
前記シール区分は、前記管チャネルと前記作動面積との間に位置する管誘導区分を含み、前記管誘導区分は、前記ＩＶ管の前記第２の部分を受けるように構成され、前記第２の部分と前記第１の部分との間に位置する前記ＩＶ管の第３の部分を、前記作動面積内の前記垂直配向に屈曲させる、請求項１に記載の注入ポンプ。
【請求項３】
前記管チャネルは、（ｉ）平滑、（ｉｉ）粗いリブ付き、または（ｉｉｉ）細かいリブ付きのうちの少なくとも１つである表面を含む、請求項１または２に記載の注入ポンプ。
【請求項４】
前記ガスケットリブは、（ｉ）単一のリブまたは（ｉｉ）少なくとも２つの平行なリブのうちの少なくとも１つを含む、請求項１、２、または３のいずれか１項に記載の注入ポンプ。
【請求項５】
前記ガスケットリブは、エラストマ材料を含む、請求項１または４に記載の注入ポンプ。
【請求項６】
前記ガスケットリブは、前記筐体とともに成型される、請求項１、４、または５のいずれか１項に記載の注入ポンプ。
【請求項７】
前記ドアは、前記作動面積の第１の端部において前記筐体にわたって延在するように構成される屋根部を含み、前記屋根部は、前記陥凹区分または前記チャネル逃げ辺縁のうちの少なくとも１つを含む、請求項１または６に記載の注入ポンプ。
【請求項８】
前記陥凹区分および前記管チャネルによって前記ＩＶ管の前記第２の部分を受けることは、前記ＩＶ管の前記第２の部分を前記屋根部の下で前記水平配向に屈曲させる、請求項７に記載の注入ポンプ。
【請求項９】
前記屋根部はさらに、前記作動面積に隣接する前記筐体のチャネルに係合するように構成される前記屋根部の側面上に位置するリブを含み、前記リブと前記チャネルとの係合は、前記屋根部が上向きに移動することを防止する、請求項７に記載の注入ポンプ。
【請求項１０】
前記チャネル逃げ辺縁は、前記ＩＶ管内の少なくとも１つの領域を前記ＩＶ管の前記第２の部分が屈曲される場所で非圧潰状態のままにさせるように構成される少なくとも１つのリブを含む、請求項１、６、７、または９のいずれか１項に記載の注入ポンプ。
【請求項１１】
前記第１の端部は、前記作動面積の上端部であり、前記第２の端部は、前記作動面積の下端部である、請求項１、６、７、または１０のいずれか１項に記載の注入ポンプ。
【請求項１２】
前記ガスケットリブは、前記ＩＶ管を受容するように構成される前記作動面積の第１の端部に隣接して位置付けられる管窓を含む、請求項１、６、７、または１１のいずれか１項に記載の注入ポンプ。
【請求項１３】
前記管チャネルは、前記管窓に隣接して位置する、請求項１２に記載の注入ポンプ。
【請求項１４】
前記ドアは、前記筐体に蝶着接続される、請求項１に記載の注入ポンプ。
【請求項１５】
静脈（「ＩＶ」）流体を送達するための注入ポンプであって、
筐体であって、前記筐体は、
ＩＶ管の第１の部分に係合するように構成される作動面積であって、前記作動面積は、流体容器から前記ＩＶ管を受容するための第１の端部と、患者に前記ＩＶ管を提供するための第２の端部とを含む、作動面積と、
前記作動面積の少なくとも一部の周囲に沿って位置するシール区分であって、前記シール区分は、
前記シール区分に沿って位置付けられるガスケットリブと、
前記筐体の上部に位置し、水平配向を有する管チャネルであって、前記管チャネルは、前記ＩＶ管の第２の部分を受けるように構成される、管チャネルと
を含む、シール区分と
を含む、筐体と、
前記筐体に接続されたドアであって、前記ドアは、前記ガスケットリブに係合し、前記筐体の作動面積を封入するように構成される、ドアと
を備える、注入ポンプ。
【請求項１６】
前記ドアは、前記作動面積の第１の端部において前記筐体にわたって延在するように構成される屋根部を含み、前記屋根部は、陥凹区分またはチャネル逃げ辺縁のうちの少なくとも１つを含む、請求項１５に記載の注入ポンプ。
【請求項１７】
前記管チャネルによって前記ＩＶ管の前記第２の部分を受けることは、前記ＩＶ管の前記第２の部分を前記屋根部の下で前記水平配向に屈曲させる、請求項１６に記載の注入ポンプ。
【請求項１８】
前記屋根部はさらに、前記作動面積に隣接する前記筐体のチャネルに係合するように構成される前記屋根部の側面上に位置するリブを含み、前記リブと前記チャネルの係合は、前記屋根部が上向きに移動することを防止する、請求項１６または１７に記載の注入ポンプ。
【請求項１９】
前記ドアは、
陥凹区分であって、前記陥凹区分は、前記ドアが閉鎖されると、前記管チャネルと整合するように構成され、前記陥凹区分は、前記陥凹区分および管チャネルが前記ＩＶ管の前記第２の部分をともに封入するように、前記ＩＶ管の前記第２の部分を受けるように構成される、陥凹区分と、
前記ドアに進入する前記ＩＶ管の前記第２の部分に係合するように構成されるチャネル逃げ辺縁と
のうちの少なくとも１つを含む、請求項１５または１８に記載の注入ポンプ。
【請求項２０】
前記チャネル逃げ辺縁は、前記ＩＶ管内の少なくとも１つの領域を前記ＩＶ管の前記第２の部分が屈曲される場所で非圧潰状態のままにさせるように構成される少なくとも１つのリブを含む、請求項１９に記載の注入ポンプ。
【発明の詳細な説明】
【背景技術】
【０００１】
大容量ポンプ（「ＬＶＰ」）を含む、注入ポンプは、流体を、流体供給部から静脈（「ＩＶ」）ラインを通して患者まで移動させるように設計される。注入ポンプは、流体を、ラインの一部に力を印加する１つ以上のアクチュエータを用いて、ＩＶラインを通して移動させる。流体が移動されるレートは、ＩＶラインに力が印加される頻度に基づく。注入ポンプがドアまたは類似する機構を使用し、ＩＶラインの一部をアクチュエータと接触するように固着させることが、一般的である。他の公知のポンプは、ポンプアクチュエータと噛合される管を担持するカセットまたはオーバーモールドと統合された、特殊なＩＶラインセットの使用を要求する。
【０００２】
公知の注入ポンプに関わる問題は、ドアの背後の注入ポンプのアクチュエータ面積の中への含有物の滲出（例えば、粉塵、湿気、流体容器漏出等）である。多くの事例では、ドアの縁と注入ポンプケーシングとの間に、汚染物質が作動面積に進入することを可能にする、小さい間隙が、存在する。間隙はまた、ドアまたはドアに隣接するポンプケーシングのいずれか一方を通過し、注入容器に到達する、ＩＶラインのまわりにも存在する。間隙は、ＩＶライン上にかかる応力を低減させる、またはＩＶラインが閉塞することを防止するように意図され、かつそのために注入ポンプの中に設計され得る。残念ながら、汚染物質は、アクチュエータ動作に影響を及ぼし、より頻繁な保守および／または清掃をもたらし得る。
【発明の概要】
【課題を解決するための手段】
【０００３】
本開示は、ヒトまたは動物（例えば、患者）等の所望される源に静脈（「ＩＶ」）流体を送達する、注入ポンプを伴う。注入ポンプは、改良されたドアシールを含む。本開示の例示的ドアシールは、注入ポンプの作動面積を封入する、または汚染物質から保護するように構成される。ドアに対してシールを位置付けることは、作動面積を、ドアおよび／またはポンプケーシング全体の製造公差変動から独立するように隔離する。ある実施形態では、シールは、ドアの縁の内側に形成され、これは、ポンプ筐体およびドアの公差範囲を緩和し、それによって、製造コストを低減させる。故に、本明細書に開示される例示的シール構成は、ドアの位置および累積公差に依存しない。さらに、本明細書に開示される例示的構成は、従来のＩＶ管と動作可能であり、そのため、特殊なＩＶ管、レセプタクル、カートリッジ、または付加的部品が、必要とされない。下記に議論される注入ポンプの異なる構成要素のための材料は、金属、プラスチック、ゴム、およびそれらの組み合わせを含んでもよい。
【０００４】
本明細書に説明される主題の側面は、単独で、または本明細書に説明される１つ以上の他の側面との組み合わせにおいて、有用であり得る。前述の説明を限定することなく、本開示の第１の側面では、静脈（「ＩＶ」）流体を送達するための注入ポンプは、ＩＶ管の一部に係合するように構成される作動面積であって、流体容器からＩＶ管を受容するための、第１の端部と、患者にＩＶ管を提供するための、第２の端部とを含む、作動面積と、作動面積の少なくとも一部の周囲に沿って位置するシール区分とを含む、筐体を含む。例示的シール区分は、シール区分に沿って位置付けられる、ガスケットリブと、ＩＶ管を受けるように構成される、管チャネルとを含む。注入ポンプはまた、筐体に接続され、ガスケットリブに係合し、筐体の作動面積を封入するように構成される、ドアを含む。ドアは、ドアが閉鎖されると、管チャネルと整合するように構成される陥凹区分であって、陥凹区分および管チャネルがＩＶ管をともに封入するように、ＩＶ管を受けるように構成される、陥凹区分と、ドアに進入するＩＶ管に係合するように構成される、チャネル逃げ辺縁とのうちの少なくとも１つを含む。
【０００５】
別様に記載されない限り、本明細書に列挙される任意の他の側面との組み合わせにおいて使用され得る、本開示の第２の側面によると、シール区分は、管チャネルと作動面積との間に位置する、管誘導区分を含み、管誘導区分は、ＩＶ管を受けるように構成され、ＩＶ管を、作動面積内の所望される配向のために屈曲させる。
【０００６】
別様に記載されない限り、本明細書に列挙される任意の他の側面との組み合わせにおいて使用され得る、本開示の第３の側面によると、管チャネルは、（ｉ）平滑、（ｉｉ）粗いリブ付き、または（ｉｉｉ）細かいリブ付きのうちの少なくとも１つである、表面を含む。
【０００７】
別様に記載されない限り、本明細書に列挙される任意の他の側面との組み合わせにおいて使用され得る、本開示の第４の側面によると、ガスケットリブは、（ｉ）単一のリブまたは（ｉｉ）少なくとも２つの平行なリブのうちの少なくとも１つを含む。
【０００８】
別様に記載されない限り、本明細書に列挙される任意の他の側面との組み合わせにおいて使用され得る、本開示の第５の側面によると、ガスケットリブは、エラストマ材料を含む。
【０００９】
別様に記載されない限り、本明細書に列挙される任意の他の側面との組み合わせにおいて使用され得る、本開示の第６の側面によると、ガスケットリブは、筐体とともに成型される。
【００１０】
別様に記載されない限り、本明細書に列挙される任意の他の側面との組み合わせにおいて使用され得る、本開示の第７の側面によると、陥凹区分および管チャネルによってＩＶ管を受けることは、ＩＶ管をドアの屋根部の下で所望される配向のために屈曲させる。
【００１１】
別様に記載されない限り、本明細書に列挙される任意の他の側面との組み合わせにおいて使用され得る、本開示の第８の側面によると、屋根部はさらに、作動面積に隣接する筐体のチャネルに係合するように構成される屋根部の側面上に位置するリブを含み、リブとチャネルの係合は、屋根部が撓むことを防止する。
【００１２】
別様に記載されない限り、本明細書に列挙される任意の他の側面との組み合わせにおいて使用され得る、本開示の第９の側面によると、チャネル逃げ辺縁は、ＩＶ管内の少なくとも１つの領域をＩＶ管が屈曲される場所で非圧潰状態のままにさせるように構成される、少なくとも１つのリブを含む。
【００１３】
別様に記載されない限り、本明細書に列挙される任意の他の側面との組み合わせにおいて使用され得る、本開示の第１０の側面によると、第１の端部は、作動面積の上端部であり、第２の端部は、作動面積の下端部である。
【００１４】
別様に記載されない限り、本明細書に列挙される任意の他の側面との組み合わせにおいて使用され得る、本開示の第１１の側面によると、ガスケットリブは、ＩＶ管を受容するように構成される、作動面積の第１の端部に隣接して位置付けられる、管窓を含む。
【００１５】
別様に記載されない限り、本明細書に列挙される任意の他の側面との組み合わせにおいて使用され得る、本開示の第１２の側面によると、管チャネルは、管窓に位置する。
【００１６】
別様に記載されない限り、本明細書に列挙される任意の他の側面との組み合わせにおいて使用され得る、本開示の第１３の側面によると、ドアは、作動面積の第１の端部において筐体にわたって延在するように構成される、屋根部であって、陥凹区分またはチャネル逃げ辺縁のうちの少なくとも１つを含む、屋根部を含む。
【００１７】
別様に記載されない限り、本明細書に列挙される任意の他の側面との組み合わせにおいて使用され得る、本開示の第１４の側面によると、ドアは、筐体に蝶着接続される。
【００１８】
別様に記載されない限り、本明細書に列挙される任意の他の側面との組み合わせにおいて使用され得る、本開示の第１５の側面によると、静脈（「ＩＶ」）流体を送達するための注入ポンプは、ＩＶ管の一部に係合するように構成される作動面積であって、流体容器からＩＶ管を受容するための、第１の端部と、患者にＩＶ管を提供するための、第２の端部とを含む、作動面積と、作動面積の少なくとも一部の周囲に沿って位置するシール区分とを含む、筐体を含む。例示的シール区分は、シール区分に沿って位置付けられる、ガスケットリブと、ＩＶ管を受けるように構成される、管チャネルとを含む。注入ポンプはまた、筐体に接続され、ガスケットリブに係合し、筐体の作動面積を封入するように構成される、ドアを含む。
【００１９】
別様に記載されない限り、本明細書に列挙される任意の他の側面との組み合わせにおいて使用され得る、本開示の第１６の側面によると、ドアは、作動面積の第１の端部において筐体にわたって延在するように構成される、屋根部であって、陥凹区分またはチャネル逃げ辺縁のうちの少なくとも１つを含む、屋根部を含む。
【００２０】
別様に記載されない限り、本明細書に列挙される任意の他の側面との組み合わせにおいて使用され得る、本開示の第１７の側面によると、管チャネルによってＩＶ管を受けることは、ＩＶ管を屋根部の下で所望される配向のために屈曲させる。
【００２１】
別様に記載されない限り、本明細書に列挙される任意の他の側面との組み合わせにおいて使用され得る、本開示の第１８の側面によると、屋根部はさらに、作動面積に隣接する、筐体のチャネルに係合するように構成される、屋根部の側面上に位置する、リブを含み、リブとチャネルの係合は、屋根部が上向きに移動することを防止する。
【００２２】
別様に記載されない限り、本明細書に列挙される任意の他の側面との組み合わせにおいて使用され得る、本開示の第１９の側面によると、ドアは、ドアが閉鎖されると、管チャネルと整合するように構成される陥凹区分であって、陥凹区分および管チャネルがＩＶ管をともに封入するように、ＩＶ管を受けるように構成される、陥凹区分と、ドアに進入するＩＶ管に係合するように構成される、チャネル逃げ辺縁とのうちの少なくとも１つを含む。
【００２３】
別様に記載されない限り、本明細書に列挙される任意の他の側面との組み合わせにおいて使用され得る、本開示の第２０の側面によると、チャネル逃げ辺縁は、ＩＶ管内の少なくとも１つの領域をＩＶ管が屈曲される場所で非圧潰状態のままにさせるように構成される、少なくとも１つのリブを含む。
【００２４】
本開示の第２１の側面によると、図６Ａ−３６に関連して図示され説明される構造および機能性の任意のものは、図６Ａ−３６の他のもののうちの任意のものに関連して図示され説明される構造および機能性の任意のものおよび前述の側面のうちの任意の１つ以上のものとの組み合わせにおいて、使用されてもよい。
【００２５】
上記の側面および本明細書における開示に照らして、故に、構成要素の噛合公差を緩和した注入ポンプを提供することは、本開示の利点である。
【００２６】
流体および他の汚染物質がポンプの筐体に進入しないように効果的に防止する注入ポンプを提供することは、本開示の別の利点である。
【００２７】
標準的かつ特殊化されていないポンプセットおよび管類とともに動作し得る注入ポンプを提供することは、本開示のさらなる別の利点である。
【００２８】
本明細書において議論される利点は、本明細書に開示される実施形態のうちの１つ、またはいくつかにおいて見出され得るが、おそらく、その全てにおいて見出され得るわけではない。付加的な特徴および利点が、本明細書に説明され、以下の詳細な説明および図面から明白となるであろう。
本発明は、例えば、以下を提供する。
（項目１）
静脈（「ＩＶ」）流体を送達するための注入ポンプであって、
筐体であって、前記筐体は、
ＩＶ管の一部に係合するように構成される作動面積であって、前記作動面積は、流体容器からＩＶ管を受容するための第１の端部と、患者に前記ＩＶ管を提供するための第２の端部とを含む、作動面積と、
前記作動面積の少なくとも一部の周囲に沿って位置するシール区分であって、前記シール区分は、
前記シール区分に沿って位置付けられるガスケットリブと、
前記ＩＶ管を受けるように構成される管チャネルと
を含む、シール区分と
を含む、筐体と、
前記筐体に接続されたドアであって、前記ドアは、前記ガスケットリブに係合し、前記筐体の作動面積を封入するように構成され、前記ドアは、
陥凹区分であって、前記陥凹区分は、前記ドアが閉鎖されると、前記管チャネルと整合するように構成され、前記陥凹区分は、前記陥凹区分および管チャネルが前記ＩＶ管をともに封入するように、前記ＩＶ管を受けるように構成される、陥凹区分と、
前記ドアに進入する前記ＩＶ管に係合するように構成されるチャネル逃げ辺縁と
のうちの少なくとも１つを含む、ドアと
を備える、注入ポンプ。
（項目２）
前記シール区分は、前記管チャネルと前記作動面積との間に位置する管誘導区分を含み、前記管誘導区分は、前記ＩＶ管を受けるように構成され、前記ＩＶ管を、前記作動面積内の所望される配向のために屈曲させる、項目１に記載の注入ポンプ。
（項目３）
前記管チャネルは、（ｉ）平滑、（ｉｉ）粗いリブ付き、または（ｉｉｉ）細かいリブ付きのうちの少なくとも１つである表面を含む、項目１または２に記載の注入ポンプ。
（項目４）
前記ガスケットリブは、（ｉ）単一のリブまたは（ｉｉ）少なくとも２つの平行なリブのうちの少なくとも１つを含む、項目１、２、または３のいずれか１項に記載の注入ポンプ。
（項目５）
前記ガスケットリブは、エラストマ材料を含む、項目１または４に記載の注入ポンプ。
（項目６）
前記ガスケットリブは、前記筐体とともに成型される、項目１、４、または５のいずれか１項に記載の注入ポンプ。
（項目７）
前記ドアは、前記作動面積の第１の端部において前記筐体にわたって延在するように構成される屋根部を含み、前記屋根部は、前記陥凹区分または前記チャネル逃げ辺縁のうちの少なくとも１つを含む、項目１または６に記載の注入ポンプ。
（項目８）
前記陥凹区分および前記管チャネルによって前記ＩＶ管を受けることは、前記ＩＶ管を前記屋根部の下で所望される配向のために屈曲させる、項目７に記載の注入ポンプ。
（項目９）
前記屋根部はさらに、前記作動面積に隣接する前記筐体のチャネルに係合するように構成される前記屋根部の側面上に位置するリブを含み、前記リブと前記チャネルとの係合は、前記屋根部が上向きに移動することを防止する、項目７に記載の注入ポンプ。
（項目１０）
前記チャネル逃げ辺縁は、前記ＩＶ管内の少なくとも１つの領域を前記ＩＶ管が屈曲される場所で非圧潰状態のままにさせるように構成される少なくとも１つのリブを含む、項目１、６、７、または９のいずれか１項に記載の注入ポンプ。
（項目１１）
前記第１の端部は、前記作動面積の上端部であり、前記第２の端部は、前記作動面積の下端部である、項目１、６、７、または１０のいずれか１項に記載の注入ポンプ。
（項目１２）
前記ガスケットリブは、前記ＩＶ管を受容するように構成される前記作動面積の第１の端部に隣接して位置付けられる管窓を含む、項目１、６、７、または１１のいずれか１項に記載の注入ポンプ。
（項目１３）
前記管チャネルは、前記管窓に位置する、項目１、６、７、または１２のいずれか１項に記載の注入ポンプ。
（項目１４）
前記ドアは、前記筐体に蝶着接続される、項目１に記載の注入ポンプ。
（項目１５）
静脈（「ＩＶ」）流体を送達するための注入ポンプであって、
筐体であって、前記筐体は、
ＩＶ管の一部に係合するように構成される作動面積であって、前記作動面積は、流体容器から前記ＩＶ管を受容するための第１の端部と、患者に前記ＩＶ管を提供するための第２の端部とを含む、作動面積と、
前記作動面積の少なくとも一部の周囲に沿って位置するシール区分であって、前記シール区分は、
前記シール区分に沿って位置付けられるガスケットリブと、
前記ＩＶ管を受けるように構成される管チャネルと
を含む、シール区分と
を含む、筐体と、
前記筐体に接続されたドアであって、前記ドアは、前記ガスケットリブに係合し、前記筐体の作動面積を封入するように構成される、ドアと
を備える、注入ポンプ。
（項目１６）
前記ドアは、前記作動面積の第１の端部において前記筐体にわたって延在するように構成される屋根部を含み、前記屋根部は、陥凹区分またはチャネル逃げ辺縁のうちの少なくとも１つを含む、項目１５に記載の注入ポンプ。
（項目１７）
前記管チャネルによって前記ＩＶ管を受けることは、前記ＩＶ管を前記屋根部の下で所望される配向に対して屈曲させる、項目１６に記載の注入ポンプ。
（項目１８）
前記屋根部はさらに、前記作動面積に隣接する前記筐体のチャネルに係合するように構成される前記屋根部の側面上に位置するリブを含み、前記リブと前記チャネルの係合は、前記屋根部が上向きに移動することを防止する、項目１６または１７に記載の注入ポンプ。
（項目１９）
前記ドアは、
陥凹区分であって、前記陥凹区分は、前記ドアが閉鎖されると、前記管チャネルと整合するように構成され、前記陥凹区分は、前記陥凹区分および管チャネルが前記ＩＶ管をともに封入するように、前記ＩＶ管を受けるように構成される、陥凹区分と、
前記ドアに進入する前記ＩＶ管に係合するように構成されるチャネル逃げ辺縁と
のうちの少なくとも１つを含む、項目１５または１８に記載の注入ポンプ。
（項目２０）
前記チャネル逃げ辺縁は、前記ＩＶ管内の少なくとも１つの領域を前記ＩＶ管が屈曲される場所で非圧潰状態のままにさせるように構成される少なくとも１つのリブを含む、項目１９に記載の注入ポンプ。
【図面の簡単な説明】
【００２９】
【図１】図１−５は、作動面積の環境汚染を防止するように試みるために異なる構成を使用する、公知の注入ポンプの種々の図である。
【図２】図１−５は、作動面積の環境汚染を防止するように試みるために異なる構成を使用する、公知の注入ポンプの種々の図である。
【図３】図１−５は、作動面積の環境汚染を防止するように試みるために異なる構成を使用する、公知の注入ポンプの種々の図である。
【図４】図１−５は、作動面積の環境汚染を防止するように試みるために異なる構成を使用する、公知の注入ポンプの種々の図である。
【図５】図１−５は、作動面積の環境汚染を防止するように試みるために異なる構成を使用する、公知の注入ポンプの種々の図である。
【００３０】
【図６Ａ】図６Ａ、６Ｂ、７Ａ、および７Ｂは、本開示の例示的実施形態による、作動面積の環境汚染を低減または防止するように構成されるドアシール区分を含む、例示的注入ポンプの種々の図である。
【図６Ｂ】図６Ａ、６Ｂ、７Ａ、および７Ｂは、本開示の例示的実施形態による、作動面積の環境汚染を低減または防止するように構成されるドアシール区分を含む、例示的注入ポンプの種々の図である。
【図７Ａ】図６Ａ、６Ｂ、７Ａ、および７Ｂは、本開示の例示的実施形態による、作動面積の環境汚染を低減または防止するように構成されるドアシール区分を含む、例示的注入ポンプの種々の図である。
【図７Ｂ】図６Ａ、６Ｂ、７Ａ、および７Ｂは、本開示の例示的実施形態による、作動面積の環境汚染を低減または防止するように構成されるドアシール区分を含む、例示的注入ポンプの種々の図である。
【００３１】
【図８】図８−１１は、本開示の例示的実施形態による、図６Ａ、６Ｂ、７Ａ、および７Ｂの注入ポンプのシール区分の拡大図の種々の図である。
【図９】図８−１１は、本開示の例示的実施形態による、図６Ａ、６Ｂ、７Ａ、および７Ｂの注入ポンプのシール区分の拡大図の種々の図である。
【図１０】図８−１１は、本開示の例示的実施形態による、図６Ａ、６Ｂ、７Ａ、および７Ｂの注入ポンプのシール区分の拡大図の種々の図である。
【図１１】図８−１１は、本開示の例示的実施形態による、図６Ａ、６Ｂ、７Ａ、および７Ｂの注入ポンプのシール区分の拡大図の種々の図である。
【００３２】
【図１２】図１２は、本開示の例示的実施形態による、図６Ａ、６Ｂ、７Ａ、および７Ｂの注入ポンプのドアの屋根部の斜視図である。
【００３３】
【図１３】図１３および１４は、本開示の例示的実施形態による、開放位置におけるドアと、暴露されたシール区分とを含む、図６Ａ、６Ｂ、７Ａ、および７Ｂの注入ポンプの作動面積の上端部の種々の図である。
【図１４】図１３および１４は、本開示の例示的実施形態による、開放位置におけるドアと、暴露されたシール区分とを含む、図６Ａ、６Ｂ、７Ａ、および７Ｂの注入ポンプの作動面積の上端部の種々の図である。
【００３４】
【図１５】図１５は、本開示の例示的実施形態による、図６Ａ、６Ｂ、７Ａ、および７Ｂの注入ポンプのシール区分の斜視断面図である。
【００３５】
【図１６】図１６−２４は、本開示の例示的実施形態による、図１２の屋根部の種々の図である。
【図１７】図１６−２４は、本開示の例示的実施形態による、図１２の屋根部の種々の図である。
【図１８】図１６−２４は、本開示の例示的実施形態による、図１２の屋根部の種々の図である。
【図１９】図１６−２４は、本開示の例示的実施形態による、図１２の屋根部の種々の図である。
【図２０】図１６−２４は、本開示の例示的実施形態による、図１２の屋根部の種々の図である。
【図２１】図１６−２４は、本開示の例示的実施形態による、図１２の屋根部の種々の図である。
【図２２】図１６−２４は、本開示の例示的実施形態による、図１２の屋根部の種々の図である。
【図２３】図１６−２４は、本開示の例示的実施形態による、図１２の屋根部の種々の図である。
【図２４】図１６−２４は、本開示の例示的実施形態による、図１２の屋根部の種々の図である。
【００３６】
【図２５】図２５−３１は、本開示の例示的実施形態による、図６Ａ、６Ｂ、７Ａ、および７Ｂの注入ポンプのシール区分の種々の図である。
【図２６】図２５−３１は、本開示の例示的実施形態による、図６Ａ、６Ｂ、７Ａ、および７Ｂの注入ポンプのシール区分の種々の図である。
【図２７】図２５−３１は、本開示の例示的実施形態による、図６Ａ、６Ｂ、７Ａ、および７Ｂの注入ポンプのシール区分の種々の図である。
【図２８】図２５−３１は、本開示の例示的実施形態による、図６Ａ、６Ｂ、７Ａ、および７Ｂの注入ポンプのシール区分の種々の図である。
【図２９】図２５−３１は、本開示の例示的実施形態による、図６Ａ、６Ｂ、７Ａ、および７Ｂの注入ポンプのシール区分の種々の図である。
【図３０】図２５−３１は、本開示の例示的実施形態による、図６Ａ、６Ｂ、７Ａ、および７Ｂの注入ポンプのシール区分の種々の図である。
【図３１】図２５−３１は、本開示の例示的実施形態による、図６Ａ、６Ｂ、７Ａ、および７Ｂの注入ポンプのシール区分の種々の図である。
【００３７】
【図３２】図３２−３６は、本開示の例示的実施形態による、図１２の屋根部の形状の変形例を図示する、種々の図である。
【図３３】図３２−３６は、本開示の例示的実施形態による、図１２の屋根部の形状の変形例を図示する、種々の図である。
【図３４】図３２−３６は、本開示の例示的実施形態による、図１２の屋根部の形状の変形例を図示する、種々の図である。
【図３５】図３２−３６は、本開示の例示的実施形態による、図１２の屋根部の形状の変形例を図示する、種々の図である。
【図３６】図３２−３６は、本開示の例示的実施形態による、図１２の屋根部の形状の変形例を図示する、種々の図である。
【発明を実施するための形態】
【００３８】
本開示は、概して、静脈（「ＩＶ」）管作動面積の中への環境汚染物質の進入を防止するように構成されるドア屋根部およびガスケットシールを含む、注入ポンプ装置に関する。下記により詳細に説明されるように、ある実施形態における注入ポンプドアは、ＩＶ管を受けるかまたは別様に受け取るように構成される陥凹区分を伴う、屋根部を含む。加えて、注入ポンプは、ドアが閉鎖位置にあるとき、少なくともドア屋根部に接触するように構成される、ガスケットシールを含んでもよい。ガスケットシールは、屋根部内の陥凹部の向かい側に位置付けられた管チャネルと、窓とを含む。管チャネルおよび窓は、ＩＶ管を受けるかまたは別様にそれに接触するように構成される。管チャネル、窓、および屋根陥凹部によってＩＶ管を受けることは、ＩＶ管を屋根部の真下に実質的に封入する。ガスケットシールと組み合わせられると、ＩＶ管のエンクロージャは、注入ポンプのＩＶ管作動面積に進入する環境汚染物質に対する、実質的に貫通不可能な障壁を作成する。
【００３９】
垂直配向でＩＶ管を受容するように構成される、注入ポンプが、全体を通して参照される。言い換えると、注入ポンプは、ＩＶ管を上部区分内に受容する。しかしながら、他の実施形態では、本明細書に開示される注入ポンプシールは、水平に（または他の所望される角度に）配向されたＩＶ管を受容するために提供され得ることを理解されたい。他の実施形態では、ＩＶ管は、注入ポンプの側面に進入する。ある実施形態では、注入ポンプは、管が異なる手技のために異なるように配置され得るように、動作のために異なる位置に配向されてもよい。
【００４０】
同様に、本明細書に開示される注入ポンプは、流体をＩＶ管を通して圧送するための一般的な垂直に配向されたアクチュエータを有する。しかしながら、他の実施形態では、アクチュエータは、水平な（または他の所望される角度の）配向で位置付けられてもよい。アクチュエータの配向が、必ずしも注入ポンプに進入するＩＶ管の配向に対応し得るものではないことを理解されたい。例えば、注入ポンプは、水平配向でＩＶ管を受容するが、アクチュエータを垂直配向に整合させ得る。再び、アクチュエータは、異なる手技のために異なるように配向されてもよい。
【００４１】
本明細書に開示される例示的注入ポンプシールは、環境汚染物質が作動面積に進入することを可能にする公知のシステム（下記に簡潔に議論される）の限界を克服する。加えて、本明細書に開示される例示的注入ポンプシールは、流体進入に関するＩＥＣ  ６０６０１  ＩＰＸ２要件を満たすように構成される。本規格は、在宅医療用デバイスが、医療用デバイスが１５°の角度で異なる配向に傾斜されるとき垂直に落下する水の液滴の進入に対して保護されることを要求する。これは、医療用デバイスを１５°前方、後方、および横に傾斜させることを含む。
【００４２】
ここで、図面を参照すると、図１−５は、作動面積の環境汚染を防止するように試みるための異なる構成を使用する、公知の注入ポンプの略図を示す。具体的には、図１−３は、ドアにおける間隙を最小限にさせるように試みる、１つの注入ポンプを示す。比較として、図４および５は、ＩＶ管とともにカスタマイズされたオーバーモールドまたはカートリッジを使用する、注入ポンプを示す。
【００４３】
図１−３は、ドア１０６によって封入される作動面積１０４を含む、公知の注入ポンプ１０２の略図を示す。ＩＶ管１０８が、作動面積１０４を通して配索される。本実施例では、アクチュエータ１１０が、図１の開放位置に示される、ドア１０６上に位置付けられる。ドア１０６の閉鎖は、アクチュエータ１１０を、作動面積１０４内のＩＶ管１０８の一部に接触またはそれに近接近させる。アクチュエータ１１０は、ＩＶ管１０８に対して連続的に押動し、管１０８を通して流体を移動または圧送するように制御される。
【００４４】
公知の注入ポンプ１０２は、ＩＶ管１０８が作動面積１０４を通して垂直に配向されるように構成される。ＩＶ管１０８は、作動面積１０４のその上端部において、流体容器に接続される。ＩＶ管１０８は、作動面積１０４のその下端部において、患者に接続される。注入ポンプ１０２は、注入ポンプ１０２の上部においてＩＶ管１０８に接続するように構成される、クリップ１１２または摺動クランプを含む。スロット２００（図２および３に示される）の中へのクリップ１１２の挿入は、ドア１０６を開放させる。クリップ１１２はまた、ＩＶ管１０８が注入ポンプ１０２の中に装填されている間、ＩＶ管１０８の閉塞をもたらし、流体流を妨げる。ＩＶ管１０８がアクチュエータ面積１０４の中に固着された後、ドア１０６は、閉鎖され、クリップ１１２は、除去され、それによって、流体がＩＶ管１０８を通して流動することを可能にする。
【００４５】
図２および３は、閉鎖位置にある注入ポンプ１０２のドア１０６を示す。例示的ドア１０６は、作動面積１０４の一部を被覆するように構成される。しかしながら、ドア１０６と注入ポンプ１０２上の対応するケーシングとの間に、間隙２０２および２０４が、存在する。間隙２０２は、ドア１０６の縁とドアの縁に沿った注入ポンプ１０２のケーシングとの間の空隙に対応する。間隙２０４は、ドア１０６と、注入ポンプ１０２のケーシングの、ＩＶ管１０８が作動面積１０４に進入する場所との間の空隙に対応する。図３に示されるように、間隙２０２は、約０．０２０インチ（０．５ｍｍ）であり得る一方、間隙２０４は、約０．０１２インチ（０．３ｍｍ）であり得る。
【００４６】
例示的間隙２０２は、製造公差の許容の結果として存在し得る。例えば、注入ポンプ１０２のドア１０６および筐体は、個別に射出成型されてもよい。大きい公差変動性に関する許容は、製造コストを低減させるが、間隙２０２をもたらす。加えて、ドア１０６は、幅広い位置付け公差を有し、長時間の使用を通した作動面積１０４の封入を確実にしながら、製造コストを低減させ得る。そのうえ、注入ポンプ１０２が動作される浸食性環境は、より低い公差変動性を提供し得る、いくつかの材料の使用を妨げる。
【００４７】
加えて、間隙２０４は、ＩＶ管１０８がＩＶ管１０８を断面縮小または閉塞させることなく作動面積１０４に進入することを可能にするように提供される。図１に示されるように、ＩＶ管は、間隙２０４の場所の中で屈曲される。間隙２０４は、ＩＶ管１０８が、取り付けられた容器からの流体流を制限することまたは遮ることなく屈曲することを可能にする。
【００４８】
間隙２０２および２０４は、比較的に小さいが、環境汚染物質が作動面積１０４に進入することを可能にする。経時的に、汚染物質は、作動面積１０４内に蓄積し、作動面積１０４内へのＩＶ管１０８の位置付け性を含む、アクチュエータ１１０の動作に影響を及ぼし得る。有害な動作を防止するために、作動面積１４０は、定期的に清掃または点検される必要があり得る。
【００４９】
間隙２０２および２０４はまた、流体容器からの流体が、ＩＶ管１０８の外側の作動面積１０４に到達することを可能にする。例えば、流体容器は、ＩＶ管に接続されているとき、流体を漏出させ得る。容器から漏出された流体は、通常、容器の真下に位置付けられる注入ポンプ１０２の上に溢流し得る。流体は、間隙２０２および２０４を通して作動面積１０４の中に滲入し、アクチュエータ１１０の動作を低下させる、または別様にそれに影響を及ぼし得る。
【００５０】
図４および５は、環境汚染を防止するためにオーバーモールドまたはカセットを使用する、他の公知の注入ポンプの略図を示す。示されるように、オーバーモールドまたはカセットは、作動面積をシールまたは別様にしっかりと封入する、特徴を含む。例えば、図４は、オーバーモールド４０６を含有するＩＶ管４０４を伴う、注入ポンプ４０２を示す。オーバーモールド４０６は、ＩＶ管４０４を包囲する、スリーブを含む。オーバーモールド４０６の目的は、ＩＶ管４０４が、ＩＶ管が圧縮される機会を伴わず、作動面積４０８の入口で封入されることを可能にすることである。注入ポンプ４０２は、オーバーモールド４０６に接続するように構成される、レセプタクル４１０を含む。図４に図示されるように、オーバーモールド４０６とレセプタクル４１０との間の接続は、もしあったとしても、殆ど間隙を残さない。
【００５１】
図５は、カートリッジ５０６の中に含まれるＩＶ管５０４に接続するように構成される、注入ポンプ５０２の略図を示す。カートリッジ５０６は、注入ポンプの作動面積５０８に接続され、ドア５１０を介して封入される。カートリッジ５０６は、作動面積５０８の入口にスリーブまたはクリップ５１２を含む。クリップ５１２は、図４のオーバーモールド４０６に類似し、ドア５１０とポンプ５０２の筐体との間の間隙を低減または排除する。クリップ５１２は、ドア５１０がＩＶ管５０４を圧縮することなくカートリッジ５０６に係合することを可能にする、エラストマ材料から作製されてもよい。
【００５２】
それぞれ、図４および５の公知の注入ポンプ４０２および５０２に関する問題は、カスタマイズされたＩＶ管が、オーバーモールド４０６またはカートリッジ５０６とともに作成される必要があることである。いくつかの事例では、オーバーモールド４０６および／またはカートリッジ５０６は、ＩＶ管のコストの大部分を占め得る。そのような解決策は、特に、発展途上国において重要であるコスト上の理由のために望ましくない。さらに、オーバーモールド４０６およびカートリッジ５０６は、その関連付けられるポンプに対してユニークである。ポンプモデルまたはモデル構成間の変更は、新たな対応するＩＶ管の購買を要求し、在庫されている古い管を使用不可能にし得る。
【００５３】
他の公知の注入ポンプは、エラストマ箔を使用して作動面積をシールする。例えば、アクチュエータのまわりの面積は、エラストマ箔を含んでもよい。ドア上の反対の区分は、アクチュエータのまわりの箔に係合し、それを圧迫し、緊密なエンクロージャを作成しながら、ＩＶ管のためのわずかな開口部を残すように構成される。残念ながら、エラストマ箔は、経時的に劣化し、頻繁な保守および高価な交換につながる。
【００５４】
なおも他の公知の注入ポンプは、側区分に沿って、管開口部を有する。これらの公知のポンプは、垂直に配向された、指形状のアクチュエータを有する。理解され得るように、ＩＶ管の配設は、オぺレータが、管を、画定されたチャネルに沿って作動面積の内側で屈曲させる必要があるため、複雑である。加えて、チャネルの使用およびＩＶ管の水平な配向は、作動面積の入口においてシールが使用されることを妨げる。そうでなければ、ＩＶ管は、シール部で屈曲し、潜在的に流体流を制限させ得る。
【００５５】
さらなる公知の注入ポンプは、ドアの周に沿って発泡体帯域を含む。しかしながら、発泡体もまた、経時的に劣化し、頻繁な保守を要求し、高い保守コストをもたらす。さらに、一部の発泡体が、経時的に汚染され、汚染物質が作動面積に到達することにつながり得る。
【００５６】
（注入ポンプのための例示的ドアシール）
本開示の例示的ドアシールは、注入ポンプの作動面積を封入する、または汚染物質から保護するように構成される。ドアに対してシールを位置付けることは、作動面積を、ドアおよび／またはポンプケーシング全体の製造公差変動から独立するように隔離する。ある実施形態では、シールは、ドアの縁から内向きに位置し、これは、ポンプ筐体およびドアの公差範囲を緩和し、それによって、製造コストを低減させる。故に、本明細書に開示される例示的シール構成は、ドアの位置および累積公差に依存しない。さらに、本明細書に開示される例示的構成は、従来のＩＶ管と動作可能であり、そのため、特殊なＩＶ管、レセプタクル、カートリッジ、または付加的部品が、必要とされない。下記に議論される注入ポンプの異なる構成要素のための材料は、金属、プラスチック、ゴム、およびそれらの組み合わせを含んでもよい。
【００５７】
図６Ａ、６Ｂ、７Ａ、および７Ｂは、開示されるドアシールのある実施形態を含む、例示的注入ポンプ６００の略図を示す。図６Ａおよび６Ｂは、注入ポンプ６００の正面斜視図を示す一方、図７Ａおよび７Ｂは、その背面斜視図を示す。例示的注入ポンプ６００は、１つ以上のＩＶ管またはラインセットを介して患者に静脈療法を送達することが可能である任意のポンプを含んでもよい。実施例は、線形蠕動ポンプ、大容量ポンプ（「ＬＶＰ」）、携帯型ポンプ、および／または多重チャネルポンプ等を含む。線形蠕動ポンプは、回転しながら、管の一部を圧縮するための、ロータを使用する。多くの場合、ロータの１つ以上のローラが、半回転にわたって管に接触する。圧縮された回転は、流体の定義された量に管を通過させる。ＬＶＰは、典型的には、静脈療法（「ＩＶ」）管の一部を圧縮するための、１つ以上のフィンガまたはアームを使用する。管上におけるフィンガの作動のタイミングが、管を通した流体の一定の移動または一定に近い移動をもたらす。
【００５８】
例示的注入ポンプ６００は、ポンプの情報を表示するための、表示インターフェース６０２を含む。表示インターフェース６０２はまた、タッチスクリーン、膜スイッチ、それらの組み合わせ、または他のタイプのユーザインターフェースを介したポンプ６００のプログラミングを促進し得る。ある実施形態における注入ポンプ６００はまた、作動面積６０６内に位置する電子機器およびアクチュエータを封入するように構成される、筐体６０４を含む。注入ポンプ６００はさらに、作動面積６０６を封入する閉鎖位置にある、図６Ａおよび６Ｂに示されるドア６０８を含む。例示的ドア６０８は、開放し、それによって、作動面積６０６へのアクセスを提供するように構成（例えば、蝶着）される。臨床医が、ドア６０８を開放し、例えば、ＩＶ管を作動のために定位置に保持する、１つ以上のチャネルまたはコネクタの中にＩＶ管を設置することによって、作動面積６０６の中にＩＶ管６１０を挿入してもよい。
【００５９】
例示的ドア６０８は、図示される実施形態では、１つ以上のヒンジ６１２を介して、注入ポンプ６００の筐体６０４に接続される。図示される実施例では、ヒンジ６１２は、注入ポンプ６００の側面上に位置付けられ、ドア６０８を表示インターフェース６０２から離れるように揺動させる。そのような構成は、臨床医が、ＩＶ管６１０を配設しながら、依然として、インターフェース６０２を視認することが可能であることを可能にする。そうしないと、ドア６０８と表示インターフェース６０２との間にヒンジを位置させることは、ドア６０８を反対方向に開放させ、それによって、インターフェース６０２の視認を妨害させるであろう。
【００６０】
図６Ａ、６Ｂ、７Ａ、および７Ｂに図示されるように、ＩＶ管６１０は、（流体流の観点から）作動面積６０６の上端部６１４において注入ポンプ６００に進入する。ＩＶ管６１０は、上端部６１４において、ＩＶバッグ等の流体容器に接続される。ＩＶ管６１０は、概して、上端部６１４の上方で垂直に、流体容器まで配向され、ＩＶ流体を管６１０の中に導入しながら、重力を利用し、空気がＩＶバッグの上部に収集されることを可能にする。ＩＶ管６１０は、（流体流の観点から）作動面積６０６の下端部６１６において注入ポンプ６００から退出する。ＩＶ管６１０は、下端部６１６において、その送達目的地、例えば、患者まで延在する。
【００６１】
切取内部図６２０および６２２は、作動面積の、かつ全体としての注入ポンプ６００の、上端部６１４のある実施形態の拡大図を示す。切取内部図６２０および６２２は、ドア６０８が、作動面積６０６の上端部６１４に加え、筐体６０４の隣接する部分を被覆するように構成される、屋根部６２４を含むことを示す。屋根部６２４は、入口において、ＩＶ管６１０を屋根部６２４に整合し、および／または屋根部６２４にＩＶ管６１０を固着する、チャネル逃げ辺縁６２６を含む。屋根部６２４およびチャネル逃げ辺縁６２６は、下記により詳細に説明される。
【００６２】
図８は、本開示の例示的実施形態による、作動面積６０６の上端部６１４の拡大図の略図を示す。本実施形態では、ドア６０８は、部分的に開放され、作動面積６０６を暴露する。示されるように、作動面積６０６の上端部６１４は、注入ポンプ６００の筐体６０４の一部を含む。上端部６１４はまた、ドア６０８の屋根部６２４と係合されると、汚染物質が作動面積６０６に進入することを遮断または防止する、シール区分８００を含む。
【００６３】
シール区分８００が、上端部６１４において、作動面積６０６の周囲に沿って位置付けられる。ある実施形態では、シール区分８００はまた、注入ポンプ６００内で垂直に、内側に沿って延在することを含み、作動面積６０６の周囲に沿って位置付けられてもよい。加えて、または代替として、シール区分８００はまた、その下端部６１６において、作動面積６０６の周囲に沿って位置付けられてもよい。
【００６４】
ある実施形態におけるシール区分８００は、ガスケットリブ８０６を狭入および／または支持するように構成される、隆起部８０４ａおよび８０４ｂを含む。図示される隆起部８０４ａおよび８０４ｂは、筐体６０４から垂直に延在し、筐体６０４と同一の材料から作製され、および／またはそれと統合されてもよい。いくつかの事例では、隆起部８０４ａおよび８０４ｂは、同一の高さおよび／または幅を有する。他の事例では、隆起部８０４ａおよび８０４ｂは、種々の高さおよび／または幅を有する。例えば、隆起部８０４ａは、他の隆起部よりさらに垂直に延在する辺縁または縁を含んでもよい。
【００６５】
例示的ガスケットリブ８０６は、隆起部８０４ａと８０４ｂとの間のシール区分に沿って延設されるように位置付けられる。いくつかの事例では、ガスケットリブ８０６の端部は、図８に示されるように、隆起部８０４から延在してもよい。ガスケットリブ８０６は、ドア６０８が閉鎖されるとき、屋根部６２４に対してシールを作成することに役立つ、エラストマ材料を含んでもよい。ガスケットリブ８０６は、ＩＶ管６１０が作動面積６０６の中に受容される場所に隣接して、上端部６１４に位置付けられる、管窓８０８を含む。管窓８０８は、両方とも同一の材料から作製されるように、ガスケットリブ８０６と統合されてもよい。他の事例では、管窓８０８は、ガスケットリブ８０６に接続されてもよい。図示される実施形態における管窓８０８は、管窓８０８の縁がＩＶ管６１０の外側に接触するように、ガスケットリブ８０６の上方に垂直に延在する。いくつかの事例では、管窓８０８の縁は、ＩＶ管６１０の湾曲に共形化するように湾曲し、ＩＶ管６１０を圧縮することなくしっかりとした接続を提供してもよい。
【００６６】
ガスケットリブ８０６はまた、管窓８０８に位置する、管チャネル８１０を含み、ＩＶ管６１０を受ける、接続する、または別様に受け取るように構成されてもよい。管窓８０８と同様に、管チャネル８１０もまた、ガスケットリブ８０６と同一の材料から成型または作製されてもよい。管チャネル８１０は、隆起部８０４ａおよび８０４ｂの少なくとも一部の上に設置されるように構成される。いくつかの事例では、隆起部８０４ａおよび／または８０４ｂが、管チャネル８１０を受け取るための、陥凹部またはチャネルを含んでもよい。他の実施例では、隆起部８０４ａおよび８０４ｂは、ＩＶ管６１０が隆起部８０４の上で、管チャネル８１０内に設置され得るように、略平坦である。
【００６７】
図８に示されるように、管チャネル８１０および管窓８０８の組み合わせは、ＩＶ管６１０の外側および下半分を封入する。管窓８０８およびチャネル８１０のエラストマ性質は、ＩＶ管６１０が、圧縮または流体閉塞をもたらすことなく固着されることを可能にする。さらに、管窓８０８およびチャネル８１０へのＩＶ管６１０の接続は、接続されるＩＶ管６１０を水平な配向に設置させながら、屋根部６２４が、ＩＶ管６１０を引掻、引動、または別様に機械的に影響を及ぼすことなく、上端部６１４にわたって閉鎖することを可能にする。
【００６８】
また、図８に示されるように、例示的屋根部６２４は、作動面積６０６の上端部６１４を被覆するように、内向きに延在してもよい。屋根部６２４は、垂直に配向されるＩＶ管６１０に係合または接続するための、チャネル逃げ辺縁６２６を含んでもよい。屋根部６２４はまた、屋根部６２４の側面上に位置する、屋根リブ８２０を含む。例示的屋根リブ８２０は、筐体６０４内の対応するチャネル８３０に係合し、例えば、屋根部６２４が撓む、引動される、および／または上向きに持ち上げられることを防止するように構成される。いくつかの実施例では、屋根リブ８２０は、省略されてもよい。
【００６９】
図９は、作動面積６０６を封入するための閉鎖位置に移動された、ドア６０８のある実施形態の略図を示す。本実施例では、屋根部６２４の下側が、ガスケットリブ８０６に係合し、それによって、屋根部６２４と注入ポンプ６００の筐体６０４との間にシールを作成し、汚染物質がドア６０８と筐体６０４との間の任意の間隙を通して作動面積６０６に進入することを防止する。加えて、ある実施形態における屋根部６２４の下側は、管窓８０８および管チャネル８１０がＩＶ管６１０に係合する同一の場所において、ＩＶ管６１０の水平に配向された区分の上半分に接触するまたは該上部分を受ける。ある実施形態における屋根部６２４の下側、管窓８０８、および管チャネル８１０は、ともに、ＩＶ管６１０の外周全体を封入し、これは、汚染物質がＩＶ管６１０のまわりの任意の潜在的な間隙に沿って作動面積６０６に進入することを防止する。同時に、ＩＶ管６１０の係合は、圧縮および可能性として考えられる流体閉塞をもたらさないように構成される。
【００７０】
図１０および１１は、図９に示されるドア６０８の実施例の異なる斜視図の略図を示す。これらの図面に示されるように、シールは、ある実施形態では、ガスケットリブ８０６を介して、屋根部６２４と筐体６０４との間に形成される。図１１はまた、筐体６０４のチャネル８３０と係合され、例えば、屋根部６２４が撓むことを防止する、屋根リブ８２０を示す。図９−１１に示されるように、ドア６０８と屋根部６２４と筐体６０４との間の公差は、屋根部６２４の真下のガスケットリブ８０６においておよび／またはドア６０８の内側上にシールが生じるため、より大きい変動性が可能にされる。言い換えると、ガスケットリブ８０６は、作動面積６０６の汚染を可能にすることなく、ドア６０８と筐体６０４との間に種々の幅の間隙が生じることを可能にする。故に、ガスケットリブ８０６と屋根部６２４および／またはドア６０８との間に形成されたシールは、シール品質が、敏感でない、または、シールにわたったドア６０８の位置に基づいていない、または、筐体６０４の対応する特徴または区分に関連しないため、ドア６０８および筐体６０４が幅広い公差範囲を有することを可能にする、公差に依存しない解決策を提供する。さらに、図９−１１に示されるように、ある実施形態におけるシールは、よりコスト効率の高い標準的な（未修正の）ＩＶ管に対応する。
【００７１】
図１２は、本開示の例示的実施形態による、屋根部６２４の下側の略図を示す。上記で議論されるように、屋根部６２４は、ＩＶ管に係合するまたは別様に接触するための、チャネル逃げ辺縁６２６を含む。屋根部６２４はまた、筐体６０４内に付加的な空間を提供し、および／または筐体６０４の噛合特徴に対して当接するための、アンダーレッジ１２０２を含んでもよい。
【００７２】
ある実施形態における屋根部６２４はまた、ドア６０８が閉鎖位置にあるとき、管チャネル８１０と整合するように構成される、陥凹区分１２０４を含む。陥凹区分１２０４は、ＩＶ管６１０の外周の一部を受ける、それに接触する、または別様にそれを受け取るように構成される。陥凹区分１２０４、管窓８０８、および管チャネル８１０は、ともに、シール区分８００において、ＩＶ管６１０の外周全体を封入および／または取り囲む。
【００７３】
図１３および１４は、開放位置におけるドア６０８と、暴露されたシール区分８００とを伴う、作動面積６０６の上端部６１４のある実施形態の略図を示す。図１３では、隆起部８０４は、管チャネル８１０のための切り欠きを含む。他の実施例では、管チャネル８１０が、隆起部８０４ｂの上に位置付けられてもよい。上記で議論されるように、ある実施形態における管チャネル８１０は、実質的な圧縮を伴わず、ＩＶ管６１０を受けるかまたは別様にそれに係合し、しっかりとシールするように構成される。図１３はまた、ＩＶ管６１０に係合する、ガスケットリブ８０６の管窓８０８を示す。加えて、図１３は、ドア６０８が閉鎖位置にあるとき、隆起部８０４を越えて延在し、ドア６０８の縁と筐体６０４との間の間隙に隣接して、筐体６０４から垂直に下方に延設される、ガスケットリブ８０６を示す。
【００７４】
図１４は、暴露されたシール区分８００を含む、作動面積６０６の上端部６１４のある実施形態の平面図を示す。本実施例では、隆起部８０４ａは、ガスケットリブ８０６に接続される谷部を含む。谷部は、例えば、屋根部６２４の下側によって接触されるとき、ガスケットリブ８０８がわずかに圧縮かつ膨張することを可能にし得る。谷部はまた、ドア６０８が閉鎖位置にあるとき、ガスケットリブ８０６および／または陥凹区分１２０４、管チャネル８１０、および管窓８０８の組み合わせをバイパスすることが可能である、漏出流体および／または他の汚染物質を閉じ込め得る。
【００７５】
図１４はまた、その区分をシールするための、ドア６０８のヒンジ６１２に向かってその周りに巻着する、（区分化された）ガスケットリブ８０６を示す。ガスケットリブ８０６は、完全に、３次元のシールを提供し、作動面積６０６を封入する。これは、屋根部６２４に隣接するｚ軸方向のシールとの組み合わせにおいて、ドア６０８の縁に隣接する、ｘ軸方向およびｙ軸方向のシールを提供することを含む。
【００７６】
隆起部８０４ａまたは隆起部８０４ａの少なくとも縁または辺縁が、管チャネル８１０のための切り欠きを含まないことを理解されたい。代わりに、管チャネル８１０は、隆起部８０４ａの谷部の中に延在し、隆起された縁で終了する。図１４は、管チャネル８１０において隆起部８０４ａに接続されるおよび／またはそれと統合される、管誘導区分１４０２のある実施形態を示す。管誘導区分１４０２は、ＩＶ管６１０を受けるかまたは別様に受け入れ、ＩＶ管を、作動面積６０６内で所望される（例えば、垂直の）配向に屈曲させるように構成される。いくつかの実施形態では、管誘導区分１４０２は、ＩＶ管６１０を作動面積６０６まで下向きに屈曲させるための誘導部または表面に接触かつそれを提供するように定寸されてもよい。管誘導区分１４０２は、屋根部６２４の下側上の対応する構造と整合し、さらに、ＩＶ管６１０を誘導または位置付け得る、階段状に連続する隆起部を含む。いくつかの実施形態では、管誘導区分１４０２は、ＩＶ管６１０の屈曲部における応力および／または歪みを逃がし得る。
【００７７】
図１５は、ＩＶ管６１０における注入ポンプ６００のある実施形態の断面図を示す。示されるように、ドア６０８は、アクチュエータ１５０２を含む、アクチュエータ面積６０６を封入する。屋根部６２４は、作動面積６０６の上端部６１４およびシール区分８００に延在する、またはそれを被覆する。図示される実施形態では、ＩＶ管６１０は、ＩＶ管６１０が屋根部６２４の下に受容されるにつれて、垂直配向から水平配向に屈曲される。屈曲は、チャネル逃げ辺縁６２６で生じる。管チャネル８１０、屋根陥凹区分１２０４、および管窓８０８の組み合わせは、ＩＶ管６１０を屋根部６２４の下に封入する。ドア６０８の内側に位置する管チャネル８１０は、ＩＶ管６１０が所望される、例えば、垂直の配向で屈曲されることを可能にし、管がアクチュエータ１５０２によって圧縮され、流体を圧送することを可能にする。図示される実施形態では、屋根部６２４およびシール区分８００は、ドア６０８と筐体６０４との間により幅広い範囲の公差を可能にしながら、汚染物質が作動面積６０６に進入することを防止する、障壁を提供する。言い換えると、注入ポンプ６００のドア６０８と筐体６０４との間に生じ得る任意の間隙は、ドアの縁のすぐ内側に位置付けられるシール区分８００によって保護される。
【００７８】
（屋根部の実施形態）
図１６−２４は、本開示の例示的実施形態による、図１２の屋根部６２４の種々の図を図示する。図１６−２４に図示される実施形態は、可能性として考えられる屋根部設計の例証にすぎないことを理解されたい。注入ポンプ６００のドア６０８の屋根部６２４は、汚染物質が作動面積６０４に進入することを防止するようにシール区分８００と動作可能である、任意の設計を備えてもよい。
【００７９】
図１６−１８は、屋根部６２４の例示的上側を示す。例えば、図１６は、平坦な表面を伴う屋根部１６０２の斜視上面図を示す。図１７は、隆起するように成形された表面を伴う屋根部１７０２の斜視上面図を示す。屋根部１６０２および１７０２は両方とも、チャネル逃げ辺縁を含まない。比較として、図１８は、チャネル逃げ辺縁６２６を伴う平坦な屋根部１８０２の斜視上面図を示す。
【００８０】
図１９−２２は、屋根部６２４の例示的底面側を示す。例えば、図１９は、アンダーカット１９０４を伴う屋根部１９０２の下側の斜視図を示す。比較として、図２０は、アンダーレッジ１２０２を伴う屋根部２００２の斜視底面図を示す。アンダーカット１９０４とアンダーレッジ１２０２との間の差異は、アンダーレッジ１２０２が、屋根部２００２の縁まで延在する一方、アンダーカット１９０４が、屋根部１９０２の縁からすぐ内側に位置する浅いチャネルを備えることである。隣接する筐体６０４上の特徴に接続するまたはそれを収容するように設計されることに加え、アンダーカット１９０４およびアンダーレッジ１２０２は両方とも、流体流を液滴に分解または分割し、シール区分８００の汚染防止を容易にするように構成されてもよい。
【００８１】
図１９および２０と対照的に、図２１は、アンダーカットまたはアンダーレッジが要求されないことを図示する、平坦な縁を伴う屋根部２１０２を示す。しかしながら、図１９−２１は、類似する陥凹区分１２０４およびチャネル逃げ辺縁６２６を示す。これらの図示される実施例では、陥凹区分１２０４は、平滑な表面および／または輪郭を有する。チャネル逃げ辺縁６２６もまた、平滑な表面を有してもよい。
【００８２】
図２２は、リブ付き表面および／または輪郭を有する陥凹区分２２０４を伴う、屋根部２２０２の下側の図を示す。リブ付き表面は、屋根部２２０２とＩＶ管との間のシールを改良し得る。例えば、リブの隆起部は、ＩＶ管の中に押下され、しっかりとした接続を作成し得る。しかしながら、隆起部の間の間隙は、隆起部がＩＶ管を完全に圧縮または閉塞しないように、圧縮応力を解放する。陥凹区分２２０４のリブはまた、ＩＶ管上に、移動を防止するための把持部を提供してもよい。図２２は、故に、チャネル逃げ辺縁が、リブ付きであってもよいことを示す。
【００８３】
図２３および２４は、チャネルリブ２３０２を伴う、図６Ｂ−１２および図１９−２２のチャネル逃げ辺縁６２６のある実施形態を示す。図２３は、チャネルリブ２３０２を伴うチャネル逃げ辺縁の上面図を示す。図２４は、チャネルリブ２３０２を伴うチャネル逃げ辺縁６２６の底面図を示す。チャネルリブ２３０２は、チャネル逃げ辺縁６２６を伴う１つ以上の突出部を含む。例えば、図２３および２４は、１つの突出部を示すが、チャネル逃げ辺縁６２６は、２つ、３つ、またはそれよりも多くのチャネルリブ２３０２を含み得ることを理解されたい。図２４に示されるように、チャネルリブ２３０２は、ＩＶ管が典型的には、水平な配向を有する陥凹区分１２０４の開始点で終了する。
【００８４】
例示的チャネルリブ２３０２は、ＩＶ管が圧縮し、流体閉塞をもたらすことを防止するように構成される。具体的には、チャネルリブ２３０２は、屈曲されたＩＶ管を、リブ２３０２に隣接する逃げ辺縁谷部２３０４内の、２つ以上の内部チャネルに形成させる。言い換えると、チャネルリブ２３０２は、ＩＶ管上の圧縮点であるのに対し、逃げ辺縁谷部２３０４は、応力解放面積を提供し、それによって、屈曲されたＩＶ管が完全に閉鎖することを防止する。
【００８５】
（シール区分の実施形態）
図２５−３１は、本開示の例示的実施形態による、図６Ａ、６Ｂ、７Ａ、および７Ｂの注入ポンプ６００のシール区分８００の種々の図を図示する。図２５−３１の例示的実施形態におけるシール区分８００は、少なくとも上記に説明されるシール区分に実質的に類似するように形成され、動作する。図２５は、隆起部８０４ａと８０４ｂとの間にガスケットリブ８０６を伴うシール区分８００を示す。ガスケットリブ８０６は、上記で議論されるように、管窓８０８および管チャネル８１０に接続またはそれと統合される。
【００８６】
図２６は、隆起部８０４を伴うガスケットリブ２６０２を含む、シール区分８００のある実施形態を示す。本実施例では、ガスケットリブ２６０２は、作動面積６０６の上端部６１４において筐体６０４に接続されてもよい。ガスケットリブ２６０２と筐体６０４の接続は、隆起部８０４が必要とならないように十分に強力であってもよい。ガスケットリブ２６０２は、管窓２６０４と、管チャネル２６０６とを含む。管窓２６０４は、ガスケットリブ２６０２と同一または異なる高さを有してもよい。図２６に示されるように、管窓２６０４および管チャネル２６０６は、ＩＶ管を受けるかまたは別様に収容するように湾曲している。管チャネル２６０６は、ＩＶ管の屈曲部を支持することに加え、ＩＶ管を受けるかまたは別様に収容するように構成される、管誘導区分１４０２に接続される。
【００８７】
図２７は、隆起部８０４を伴わないガスケットリブ２７０２を含む、シール区分８００の別の実施形態を示す。本実施形態では、ガスケットリブ２７０２は、筐体６０４と統合され、および／またはそれと同一の材料から形成される。例えば、ガスケットリブ２７０２および筐体６０４は、塑性材料を含んでもよい。ガスケットリブ２７０２は、２つの平行なリブを含む、管窓２７０４を含む。リブは、管チャネル２７０６におけるＩＶ管との接続点において、平行である。管チャネル２７０６から離れた第２のリブは、屈曲され、ガスケットリブ２７０２を含む第１のリブに接続する。他の実施形態では、第２のリブは、シール区分８００の長さ全体にわたって平行に延設されてもよい。
【００８８】
図２７の実施例では、管チャネル２７０６は、リブ付きである。リブは、完全な管の圧縮および流体閉塞をもたらすことなく、ＩＶ管を受けるかまたは把持することを可能にし得る。管チャネル２７０６のリブはまた、汚染物質を、作動面積６０６に進入し得る前に閉じ込め得る。
【００８９】
図２８−３０は、図８−１１、１３−１５、２５、および２６の管チャネル８１０の変形例を示す。これらの実施例では、管窓２８０２は、２つの平行なリブを含む。しかしながら、他の実施例では、管窓２８０２は、前述の図面に示されるように、単一のリブを含む、または付加的な平行なリブを含んでもよい。図２８は、平滑な表面を伴う管チャネル２８０４を示す。図２９は、管チャネル２９０２が粗いリブ付き表面を有するある実施形態を示す。管チャネル２９０２のリブは、管窓２８０２のリブと整合され、例えば、よりしっかりとした接続を提供することおよび／または間隙が形成することを防止する。いくつかの事例では、管窓２８０２のリブは、管チャネル２９０２のリブと同一またはそれに類似する幅を有してもよい。管チャネル２９０２のリブはまた、ＩＶ管が管チャネル２９０２の中で摺動することを防止し得る。
【００９０】
図３０は、細かいまたは狭いリブを伴う管チャネル３００２を示す。示されるように、管窓２８０２のリブは、管チャネル３００２のリブと整合するような狭い幅を有する。しかしながら、管チャネル３００２の全てのリブが、対応する管窓２８０２のリブを有するわけではない。管チャネル３００２のリブは、ＩＶ管を把持し、しっかりとした接続を作成し、および／またはＩＶ管が滑動または別様に移動することを防止してもよい。
【００９１】
図３１は、筐体６０４の区分３１０４で湾曲されるガスケットリブ３１０２を伴うシール区分８００を示す。ガスケットリブ３１０２の湾曲は、図３２−３６に関連して下記に議論されるように、ドア６０８および／または屋根部６２４を収容する、またはドア６０８および／または屋根部６２４が丸みを帯びた縁を有することを可能にし得る。ガスケットリブ３１０２は、作動面積６０６の下端部６１６を通して垂直の配向で筐体６０４に沿って延設され、ドア６０８の垂直な縁のすぐ内側にシールを提供してもよい。
【００９２】
（屋根形状の実施形態）
図３２−３６は、本開示の例示的実施形態による、図１２の屋根部６２６の形状の変形例を図示する、種々の図である。変形例のうちの任意のものにおける屋根部は、本明細書に議論される材料のうちの任意のものから作製されてもよい。図３２は、より鋭い角を有する屋根部６２６の上下図を示す。比較として、図３３は、丸みを帯びた角を有する屋根部３３０２の上下図を示す。屋根部３３０２の角を丸くするまたは穏やかにすることは、例えば、ねじ等の下にある特徴へのアクセスを可能にする。図３２の屋根部３３０２は、図３１のガスケットリブ３１０２と併用されてもよい。
【００９３】
図３４−３６は、丸みを帯びた縁を伴う、付加的な屋根部の変形例を示す。例えば、図３４は、チャネル逃げ辺縁に丸みを帯びた縁を伴うタブ３４０４を伴う、屋根部３４０２を示す。同様に、図３６は、屋根部３６０２の縁まで延在するタブ３４０６を伴う屋根部３６０２を示す。図３５は、異なる程度の丸みを伴う第１の角３５０４と、第２の角３５０６とを伴う屋根部３５０２を示す。具体的には、第１の角３５０４は、比較的に急勾配である一方、第２の角３５０６は、緩やかな傾斜を有する。図３４−３６に示される屋根部の変形例は、実施例にすぎないことを理解されたい。他の実施形態は、例えば、筐体６０４の特徴／寸法、および／または、ＩＶ管が作動面積６０６に進入するように構成される方法に基づいて、異なるように成形された屋根部を有してもよい。
【００９４】
（結論）
本明細書に説明される例示的実施形態への種々の変更および修正が、当業者に明白となるであろうことを理解されたい。そのような変更および修正は、本主題の精神および範囲から逸脱することなく、そしてその意図された利点を減少させることなく成され得る。したがって、そのような変更および修正は、添付の請求項によって網羅されることが意図される。さらに、現行の米国法律と一貫して、用語「手段」または「ステップ」が請求項内に明示的に列挙されない限り、３５  Ｕ．Ｓ．Ｃ．  １１２（ｆ）  または  ｐｒｅ−ＡＩＡ  ３５  Ｕ．Ｓ．Ｃ．  １１２，  ｐａｒａｇｒａｐｈ  ６が発動されることが意図されるものではないことを理解されたい。故に、請求項は、本明細書またはその均等物において説明される対応する構造、材料、または作用に限定される意図はない。
【図１】
0006966555.tif 000002
【図２】
0006966555.tif 000003
【図３】
0006966555.tif 000004
【図４】
0006966555.tif 000005
【図５】
0006966555.tif 000006
【図６Ａ】
0006966555.tif 000007
【図６Ｂ】
0006966555.tif 000008
【図７Ａ】
0006966555.tif 000009
【図７Ｂ】
0006966555.tif 000010
【図８】
0006966555.tif 000011
【図９】
0006966555.tif 000012
【図１０】
0006966555.tif 000013
【図１１】
0006966555.tif 000014
【図１２】
0006966555.tif 000015
【図１３】
0006966555.tif 000016
【図１４】
0006966555.tif 000017
【図１５】
0006966555.tif 000018
【図１６】
0006966555.tif 000019
【図１７】
0006966555.tif 000020
【図１８】
0006966555.tif 000021
【図１９】
0006966555.tif 000022
【図２０】
0006966555.tif 000023
【図２１】
0006966555.tif 000024
【図２２】
0006966555.tif 000025
【図２３】
0006966555.tif 000026
【図２４】
0006966555.tif 000027
【図２５】
0006966555.tif 000028
【図２６】
0006966555.tif 000029
【図２７】
0006966555.tif 000030
【図２８】
0006966555.tif 000031
【図２９】
0006966555.tif 000032
【図３０】
0006966555.tif 000033
【図３１】
0006966555.tif 000034
【図３２】
0006966555.tif 000035
【図３３】
0006966555.tif 000036
【図３４】
0006966555.tif 000037
【図３５】
0006966555.tif 000038
【図３６】
0006966555.tif 000039